(57)【要約】【課題】  雷管突破の発生（雷管に孔が開くこと）を抑えるための機構を本体（ライフル）側に備えたライフルを提供する。【解決手段】  引金２１を引くと、撃鉄２３が逆鉤２２から外れて遊底２５内を前進し、薬室１１内に収められた弾１００の雷管１０４を撃針２６が後方から打撃することにより、薬莢１０１内の火薬１０２を爆発させて弾丸１０３を前方に発射させる構造を有するライフルにおいて、撃針２６自体又は撃針２６に対して一体的に設けられた撃針一体化部材に、当接部α１を設けるとともに、撃針２６とは別体からなる撃針周辺部材（遊底２５）に、当接部α１に当接するための当接部α２を設け、撃針２６が雷管１０４を打撃した直後に当接部α１と当接部α２とが互いに当接することにより、雷管１０４を打撃した直後の撃針２６が打撃開始位置よりも後方に移動しないようにした。【選択図】  図４
2018096651.tif 000002
【特許請求の範囲】
【請求項１】
引金を引くと、撃鉄が逆鉤から外れて遊底内を前進し、薬室内に収められた弾の雷管を撃針が後方から打撃することにより、薬莢内の火薬を爆発させて弾丸を前方に発射させる構造を有するライフルであって、
撃針自体又は撃針に対して一体的に設けられた撃針一体化部材に、当接部α１が設けられ、
撃針とは別体からなる撃針周辺部材に、当接部α１に当接するための当接部α２が設けられ、
撃針が雷管を打撃した直後に当接部α１と当接部α２とが互いに当接することにより、雷管を打撃した直後の撃針が打撃開始位置よりも後方に移動しないようにしたことを特徴とするライフル。
【請求項２】
撃針が撃鉄とは別体とされて、撃鉄の前端部が撃針の後端部を打撃すると、撃針が遊底内を前方移動するようにするとともに、
当接部α１が、撃針に設けられ、
当接部α２が、遊底における撃針を収容する部分である撃針収容部に設けられた
請求項１記載のライフル。
【請求項３】
撃針が撃鉄に対して一体的に設けられて、撃針と撃鉄とが一体となって遊底内を前方移動するようにし、
逆鉤が、
その前端側で撃鉄を掛止した状態に保つ撃鉄掛止位置と、
その後端側が上方に変位して、その前端側が下方に変位し、その前端側で撃鉄を掛止できなくなる撃鉄掛止解除位置と、
の間で揺動するようにする
とともに、
当接部α１が、撃鉄に設けられ、
当接部α２が、逆鉤の後端側に設けられた
請求項１記載のライフル。
【発明の詳細な説明】
【技術分野】
【０００１】
本発明は、ライフルに関する。
【背景技術】
【０００２】
一般的なライフルは、引金（トリガー）を引くと、撃鉄（ハンマー）が逆鉤（シア）から外れて遊底（ボルト）内を前進し、薬室（チャンバー）内に収められた弾（カートリッジ）の雷管（プライマー）を撃針（ファイアリングピン）が後方から打撃することにより、薬莢（カートリッジケース）内の火薬（パウダー）を爆発させて弾丸（ブリット）を前方に発射させる構造を有している。斯様な構造を有するライフルでは、火薬が爆発した際に薬莢内に生ずる高圧のガスが雷管から後方に噴き出す「雷管突破」と呼ばれる現象が生じ得る。雷管突破が発生すると、ライフルの機関部（レシーバー）等が損傷する虞があるだけでなく、ライフルの使用者の目等が傷つけられる虞もある。このため、ライフルにおいては、雷管突破対策が重要となっている。
【０００３】
雷管突破は、火薬の爆発力が強すぎて、雷管に孔が開く（より正確には、雷管における「カップ」と呼ばれる部分の底面部に孔が開く）ことが主な原因で発生すると考えられている。このため、雷管突破が発生してしまうのは、本体（ライフル）側の問題というよりも、弾側の問題と捉えられることが多く、雷管突破対策も、弾側に施されることが多い。例えば、特許文献１には、雷管に適用する起爆薬の成分に工夫を施すことにより、雷管突破を防止することが記載されている（同文献の段落０００２等を参照。）。これに対し、ライフル側での雷管突破対策は、機関部を構成する各部品を、ユーザーが試行錯誤しながら調整する程度に留まっている。
【０００４】
ところで、特許文献２には、ライフルではなく、口径の大きな機関砲についてのものであるが、本体（機関砲）側に雷管突破対策を施すことが記載されている。特許文献２の機関砲は、同文献の図１に示されるように、撃針４に設けた鍔部２２を、撃針４を保持する撃針保持孔３０の縁部３０ａに当接させることで、撃針保持孔３０をシール状態とし、雷管突破で生じたガスの後方への移動を防止するものとなっている。
【先行技術文献】
【特許文献】
【０００５】
【特許文献１】特開２０１０−０２４０６５号公報
【特許文献２】特開２００１−１２４４９３号公報
【発明の概要】
【発明が解決しようとする課題】
【０００６】
しかし、特許文献１に記載された技術のように、弾側に施す雷管突破対策は、火薬の爆発力を抑えるものが殆どであるため、弾丸の飛翔距離が短くなる等、弾の性能を犠牲にすることに繋がりやすい。
【０００７】
また、特許文献２に記載された技術は、雷管突破により雷管の後方に噴き出したガスが撃鉄の案内孔まで達しないようにするものに過ぎず、雷管突破の発生自体（雷管に孔が開くこと）を抑止するものではない。このため、特許文献２の機関砲でも、撃針４の鍔部３０ａでシールされるよりも前側の部分には、変形等が生じる虞がある。この部分の変形は、命中精度があまり要求されない機関砲では、それ程大きな問題にならないと考えられるところ、高い命中精度が要求されるライフルでは、大きな問題となり得る。
【０００８】
本発明は、上記課題を解決するために為されたものであり、雷管突破の発生（雷管に孔が開くこと）を抑えるための機構を本体（ライフル）側に備えたライフルを提供するものである。
【課題を解決するための手段】
【０００９】
上記課題は、
引金を引くと、撃鉄が逆鉤から外れて遊底内を前進し、薬室内に収められた弾の雷管を撃針が後方から打撃することにより、薬莢内の火薬を爆発させて弾丸を前方に発射させる構造を有するライフルであって、
撃針自体又は撃針に対して一体的に設けられた撃針一体化部材に、当接部α１が設けられ、
撃針とは別体からなる撃針周辺部材に、当接部α１に当接するための当接部α２が設けられ、
撃針が雷管を打撃した直後に当接部α１と当接部α２とが互いに当接することにより、雷管を打撃した直後の撃針が打撃開始位置よりも後方に移動しないようにしたことを特徴とするライフル
を提供することによって解決される。
【００１０】
ここで、「打撃開始位置」とは、雷管に向かって前進する撃針の前端が雷管の後面（通常、「カップ」と呼ばれる部分の後面）に対して当接し始める位置（撃針が雷管に対して初めて当接する位置）のことを云う。後述するように、雷管突破は、雷管が火薬の爆発力に耐えきれなくなって大きく変形することで発生すると考えられるところ、本発明のライフルのように、雷管を打撃した直後の撃針が、この打撃開始位置までしか後退しないようにすることによって、雷管突破の発生（雷管に孔が開くこと）を抑えることが可能になる。また、本発明では、雷管突破の発生を防止する機構を本体（ライフル）側に設けることができる。このため、本発明のライフルでは、従来のライフルよりも、爆発力の強い火薬が充填された弾を使用することも可能になる。
【００１１】
雷管突破の発生原因と、本発明で雷管突破の発生を抑止できる理由とについて、より詳しく説明すると、以下の通りである。
［雷管突破の発生原因］
雷管を打撃するときの撃針は、打撃開始位置に達した後、前方の限界位置に達するまで前進を続けて、雷管の後面（カップの底面）に凹部（打撃痕）を形成する。このときに雷管に加えられた衝撃によって、雷管内の火薬（起爆薬）が点火して、薬莢内の火薬（発射薬）が爆発し、弾丸が発射される。前方の限界位置に達した撃針は、その反動や、撃針を後方に付勢しているバネの付勢力等によって、移動方向をそれまでと反転し、後方に移動するようになる。このときの雷管の後面部（カップの底面部）は、火薬の爆発の圧力によって後方に膨らもうとする。特に、雷管の後面部における上記の打撃痕が形成された箇所は、その周囲よりも薄肉になっているため、膨らみ等の変形が生じやすい状態となっている。雷管の後面部（特に、上記の打撃痕が形成された箇所）が、上記の変形に耐えきれなくなると、雷管に孔が開き、その孔から爆風が後方に噴き出すようになる。これが、雷管突破の発生原因であると推測される。
［本発明で雷管突破の発生を抑止できる理由］
本発明のライフルでは、上記のように、雷管を打撃した直後の撃針が打撃開始位置よりも後方に移動しないようにしている。このため、上記の「雷管突破の発生原因」の欄で述べたように、火薬の爆発の圧力によって雷管の後面部が後方に膨らもうとしても、当該後面部は、上記の打撃痕が形成されていなかったときにあった位置まで復帰したときには、撃針の前端によって支えられ、それ以降は後方へ変形することができない状態となる。換言すると、雷管の後面部は、火薬の爆発の圧力に耐えることができる状態となり、当該後面部に孔が開きにくい状態となる。これが、本発明で雷管突破の発生を防止できる理由であると推測される。
【００１２】
本発明のライフルにおいて、当接部α１や当接部α２を設ける具体的な箇所は、特に限定されないが、以下のように設けると好ましい。
【００１３】
第一に、
撃針を撃鉄とは別体として、撃鉄の前端部が撃針の後端部を打撃すると、撃針が遊底内を前方移動するようにした上で、
当接部α１を、撃針に設けて、
当接部α２を、遊底における撃針を収容する部分である撃針収容部に設ける
態様である。
以下においては、この態様のライフルを「第一実施態様のライフル」と呼ぶことがある。
【００１４】
第二に、
撃針を撃鉄に対して一体的に設けて、撃針と撃鉄とが一体となって遊底内を前方移動するようにし、
逆鉤を、
その前端側で撃鉄を掛止した状態に保つ撃鉄掛止位置と、
その後端側が上方に変位して、その前端側が下方に変位し、その前端側で撃鉄を掛止できなくなる撃鉄掛止解除位置と、
の間で揺動するようにした上で、
当接部α１を、撃鉄に設けて、
当接部α２を、逆鉤の後端側に設ける
態様である。
以下においては、この態様のライフルを「第二実施態様のライフル」と呼ぶことがある。
【００１５】
第一実施態様のライフルは、雷管の打撃を行う撃針の助走距離を長く確保できるというメリットがあり、第二実施態様のライフルは、可動部品の数を削減できるというメリットがある。
【発明の効果】
【００１６】
以上のように、本発明によって、雷管突破の発生（雷管に孔が開くこと）を抑えるための機構を本体（ライフル）側に備えたライフルを提供することが可能になる。
【図面の簡単な説明】
【００１７】
【図１】ライフルの全体を示した側面図である。
【図２】第一実施態様のライフルにおける機関部周辺の内部構造を示した断面図であって、引金が引かれる前の状態を示した図である。
【図３】第一実施態様のライフルにおける機関部周辺の内部構造を示した断面図であって、撃針が雷管を打撃し始めた状態を示した図である。
【図４】第一実施態様のライフルにおける機関部周辺の内部構造を示した断面図であって、雷管を打撃した撃針が打撃開始位置まで後退した状態を示した図である。
【図５】第二実施態様のライフルにおける機関部周辺の内部構造を示した断面図であって、引金が引かれる前の状態を示した図である。
【図６】第二実施態様のライフルにおける機関部周辺の内部構造を示した断面図であって、撃針が雷管を打撃し始めた状態を示した図である。
【図７】第二実施態様のライフルにおける機関部周辺の内部構造を示した断面図であって、雷管を打撃した撃針が打撃開始位置まで後退した状態を示した図である。
【発明を実施するための形態】
【００１８】
本発明のライフルの好適な実施態様について、図面を用いてより具体的に説明する。
【００１９】
図１は、ライフルの全体を示した側面図である。本実施態様のライフルは、図１に示すように、銃身（バレル）１０と、機関部（レシーバー）２０と、用心金（トリガーガード）３０と、銃把（グリップ）４０と、銃床（ストック）５０とを備えたものとなっている。機関部２０には、引金（トリガー２１）が設けられている。本実施態様のライフルにおいては、銃床５０を、銃身１０の中間部付近（一般的なライフルで先台（フォアハンド）と呼ばれる部分付近）まで延在して設けており、銃身１０が、機関部２０だけでなく、銃床５０にも支持されるようにしている。このため、弾丸発射時の銃身１０の安定性を高めて、命中精度を高めやすい構造となっている。
【００２０】
本発明のライフルは、上述した「雷管突破」と呼ばれる現象の発生を防止するための機構（以下「雷管突破防止機構」と呼ぶことがある。）を備えたものとなっている。以下においては、雷管突破防止機構における具体的な構造の異なる２つの実施態様（上記の「第一実施態様のライフル」に係る実施態様と、上記の「第二実施態様のライフル」に係る実施態様）を例に挙げて、本発明のライフルを説明する。しかし、本発明のライフルの技術的範囲は、これらの実施態様に限定されることなく、本発明の趣旨を損なわない範囲で適宜変更を施すことができる。
【００２１】
１．第一実施態様のライフル
まず、第一実施態様のライフルについて説明する。図２〜４は、第一実施態様のライフルにおける機関部２０の周辺の内部構造を示した断面図であり、図２は、引金２１が引かれる前の状態を、図３は、引金２１が引かれて撃針２６が雷管１０４を打撃し始めた状態を、図４は、雷管１０４を打撃した撃針２６が打撃開始位置まで後退した状態を、それぞれ示している。
【００２２】
第一実施態様のライフルにおいて、機関部２０は、図２に示すように、指で引くための引金（トリガ）２１と、引金２１を引くと動作する逆鉤（シア）２２と、逆鉤２２によって掛止される撃鉄（ハンマ）２３と、撃鉄２３を前方に付勢するコイルスプリング（撃鉄付勢手段）２４と、撃鉄２３を前後方向に移動可能な状態で収容した遊底（ボルト）２５と、遊底２５内における撃鉄２３よりも前方に配された撃針（ファイアリングピン）２６とを備えたものとなっている。銃身１０の後端部には、弾（カートリッジ）１００を込めるための薬室（チャンバー）１１が設けられている。弾１００は、薬莢（カートリッジケース）１０１と、薬莢１０１内に詰められた火薬（パウダー）１０２と、薬莢１０１の先端部に保持された弾丸（ブリット）１０３と、薬莢１０１の後端部に嵌め込まれた雷管（プライマー）１０４とで構成されている。第一実施態様のライフルにおいては、引金２１と逆鉤２２とが一体化されている一方、撃鉄２３と撃針２６とは別体となっている。
【００２３】
第一実施態様のライフルは、図２に示す状態から、引金２１を引くと、図３に示すように、撃鉄２３が逆鉤２２から外れて遊底２５内を前進し、撃鉄２３の前端部で撃針２６の後端部が打撃される構造となっている。撃針２６は、撃鉄２３によって打撃されると、前方に移動し、その前端部で雷管１０４の後面（カップ１０４ａの後面）を打撃（押圧）する。これにより、雷管１０４のカップ１０４ａ（図２）が前方に凹むように変形し、カップ１０４ａの前面側に塗布された起爆薬１０４ｂ（図２）が、カップ１０４ａと発火金（アンビル）１０４ｃ（図２）とで押圧されて発火し、薬莢１０１内の火薬１０２が爆発する。この爆発により、薬莢１０１内の圧力が増大し、弾丸１０３が発射される。
【００２４】
このとき、雷管１０４を打撃した直後の撃針２６が打撃開始位置（撃針２６の前端が雷管１０４の後面に対して当接し始める位置。第一実施態様のライフルでは、図２において撃針２６が位置する位置に一致する。）よりも後方に移動すると、雷管突破が生じる虞がある。この点、第一実施態様のライフルにおいては、図４に示すように、撃針２６に、当接部α１を設けるとともに、遊底２５（撃針周辺部材）に当接部α２を設け、撃針２６が雷管１０４を打撃した直後に当接部α１と当接部α２とが互いに当接することにより、雷管１０４を打撃した直後の撃針２６が打撃開始位置よりも後方に移動しないようにしている。
【００２５】
具体的には、撃針２６を、雷管１０４を打撃するための前側軸部２６ａと、前側軸部２６ａの後方に設けられた後側軸部２６ｂと、前側軸部２６ａと後側軸部２６ｂとの接続部分から外方に突出して設けられたフランジ部２６ｃとで構成し、フランジ部２６ｃの後面が当接部α１となるようにするとともに、遊底２５の内部空間（撃鉄２３が前後方向に移動する空間）における前端部付近（撃針２６を収容する部分付近）に、内側に突出するフランジ部２５ａを設け、フランジ部２５ａの前面が当接部α２となるようにしており、撃針２６が図４に示す位置から後退しようとしても、当接部α１（フランジ部２６ｃの後面）と当接部α２（フランジ部２５ａの前面）とが当接し、撃針２６が後退しないようになっている。
【００２６】
撃針２６の前側軸部２６ａの長さは、それが前方の限界位置（第一実施態様のライフルにおいては、図３に示すように、撃針２６におけるフランジ部２６ｃの前端面（当接部β１）が遊底２５における前壁部の後端面（当接部β２）に当接したときの位置）に達したときに、起爆薬１０４ｂ（図２）が発火するように雷管１０４の後端面を変形させることができる程度（図３に示す、遊底２５における前壁部２５ｂの前端面（弾１００の後端面に当接させる面）から撃針２６における前端面までの距離Ｌ１が０．１〜１．５ｍｍとなる程度）とされる。この条件を満たした上で、図４に示すように、当接部α１と当接部α２とが当接したとき（撃針２６が打撃開始位置まで後退したとき）に、撃針２６の前端面が、遊底２５の前壁部２５ｂの前端面から後方にならない（撃針２６の前端面が遊底２５の前壁部２５ｂの前端面と略面一になる）ように設定される。
【００２７】
これにより、火薬１０２の爆発の圧力によって、雷管１０４の後面部が図４に示す状態から後方に膨らもうとしても、当該後面部を撃針２６の前端面によって支えて、それ以上は後方へ変形しないようにすることが可能となっている。したがって、雷管突破を防止することができるようになっている。
【００２８】
２．第二実施態様のライフル
続いて、第二実施態様のライフルについて説明する。図５〜７は、第二実施態様のライフルにおける機関部２０の周辺の内部構造を示した断面図であり、図５は、引金２１が引かれる前の状態を、図６は、引金２１が引かれて撃針２６が雷管１０４を打撃し始めた状態を、図７は、雷管１０４を打撃した撃針２６が打撃開始位置まで後退した状態を、それぞれ示している。第二実施態様のライフルについては、主に、第一実施態様のライフルと異なる部分について説明し、第一実施態様のライフルと共通する部分については説明を割愛する。
【００２９】
第一実施態様のライフルにおいては、引金２１と逆鉤２２とが一体化されて、撃鉄２３と撃針２６とが別体となった構造を有していたが、第二実施態様のライフルにおいては、図５に示すように、引金２１と逆鉤２２とが別体とされる一方、撃鉄２３と撃針２６とが一体化された構造を有している。逆鉤２２は、支軸２２ａを介して機関部２０に支持されている。このため、逆鉤２２は、点Ｐ１（支軸２２ａの中心）を中心として、図５に示す撃鉄掛止位置と、図６に示す撃鉄掛止解除位置との間で揺動することが可能となっている。逆鉤２２の前端側上部には、前側突起２２ｂが設けられており、逆鉤２２の後端側上部には、後側突起２２ｃが設けられている。また、撃鉄２３には、逆鉤２２の前側突起２２ｂに掛止するための前側突起２３ｂと、逆鉤２２の後側突起２２ｃに掛止するための後側突起２３ｃが設けられている。
【００３０】
第二実施態様のライフルは、引金２１を引く前の図５に示す状態（逆鉤２２が撃鉄掛止位置にある状態）においては、撃針２３の前側突起２３ｂの前端面（当接部γ１）が、逆鉤２２の前側突起２２ｂの後端面（当接部γ２）に掛止されて、撃針２３が前方に移動できない状態となっている。この状態から、引金２１を引くと、逆鉤２２が、図５に示す撃鉄掛止位置から図６に示す撃鉄掛止解除位置へと移動（揺動）する。逆鉤２２が撃針係止解除位置になると、逆鉤２２の後端側が上方に変位する一方で、逆鉤２２の前端側が下方に変位し、その前側突起２２ｂの後端面（当接部γ２）で撃鉄２３の前側突起２３ｂの前端面（当接部γ１）を掛止できない状態となる。
【００３１】
このため、撃鉄２３は、コイルスプリング２４（撃鉄付勢手段）の付勢力により、前方へ移動できる状態となる。撃鉄２３の前端部には、既に述べた通り、撃針２６が一体化されているため、撃針２６も、撃鉄２３とともに移動するようになる。この撃針２６の前端面により、雷管１０４の後面（カップ１０４ａの後面）が打撃（押圧）され、雷管１０４のカップ１０４ａ（図６）が前方に凹むように変形し、カップ１０４ａの前面側に塗布された起爆薬１０４ｂ（図５）が、カップ１０４ａと発火金（アンビル）１０４ｃ（図５）とで押圧されて発火し、薬莢１０１内の火薬１０２が爆発する。この爆発により、薬莢１０１内の圧力が増大し、弾丸１０３が発射される。
【００３２】
このとき、雷管１０４を打撃した直後の撃針２６が打撃開始位置（撃針２６の前端が雷管１０４の後面に対して当接し始める位置。第二実施態様のライフルでは、図５において撃針２６が位置する位置に一致する。）よりも後方に移動すると、雷管突破が生じる虞がある。この点、第二実施態様のライフルにおいては、図７に示すように、撃鉄２３（撃針一体化部材）に、当接部α１を設けるとともに、逆鉤２２（撃針周辺部材）に当接部α２を設け、撃針２６が雷管１０４を打撃した直後に当接部α１と当接部α２とが互いに当接することにより、雷管１０４を打撃した直後の撃針２６が打撃開始位置よりも後方に移動しないようにしている。
【００３３】
具体的には、撃鉄２３の後側突起２３ｃの後端面が当接部α１となるようにするとともに、逆鉤２２の後側突起２２ｃの前端面が当接部α２となるようにしており、撃針２６が図７に示す位置から後退しようとしても、当接部α１（後側突起２３ｃの後端面）と当接部α２（後側突起２２ｃの前端面）とが当接し、撃針２６が後退しないようになっている。撃針２６の長さは、第一実施態様のライフルにおける前側軸部２６ａの長さと同様とされる。
【００３４】
これにより、火薬１０２の爆発の圧力によって、雷管１０４の後面部が図７に示す状態から後方に膨らもうとしても、当該後面部を撃針２６の前端面によって支えて、それ以上は後方へ変形しないようにすることが可能となっている。したがって、雷管突破を防止することができるようになっている。
【００３５】
ところで、上記の構造を有するライフルにおいて、当接部α１と当接部α２との当接範囲における下限点（図７における点Ｐ２）が、逆鉤２２の回転中心（図７における点Ｐ１）よりも上側に位置していると、撃鉄２３の当接部α１（後側突起２３ｃの後端面）から逆鉤２２の当接部α２（後側突起２２ｃの前端面）に加えられる後向きの押圧力によって、逆鉤２２が、同図において反時計回りに回動し、撃鉄２３が図７に示す位置よりも後方に移動できるようになる虞がある。
【００３６】
このため、第二実施態様のライフルにおいては、図７に示すように、当接部α１と当接部α２との当接範囲における下限点Ｐ２が、逆鉤２２の回転中心Ｐ１よりも下側に位置するようにしている。これにより、撃鉄２３の当接部α１（後側突起２３ｃの後端面）から逆鉤２２の当接部α２（後側突起２２ｃの前端面）に後向きの押圧力が加えられても、逆鉤２２が、反時計回りに回動しないようにして、撃鉄２３が図７に示す位置よりも後方に移動できないようにすることが可能となっている。これにより、雷管突破の発生をより確実に防止することが可能となっている。
点Ｐ１から見て、点Ｐ２をどの程度下側に位置させるかは特に限定されないが、通常、０．５〜５ｍｍ程度、好ましくは、１〜３ｍｍ程度とされる。
【符号の説明】
【００３７】
１０    銃身（バレル）
２０    機関部（レシーバー）
２１    引金（トリガー）
２２    逆鉤（シア）
２２ａ  支軸
２２ｂ  前側突起
２２ｃ  後側突起
２３    撃鉄（ハンマ）
２３ｂ  前側突起
２３ｃ  後側突起
２４    コイルスプリング（撃鉄付勢手段）
２５    遊底（ボルト）
２５ａ  フランジ部
２５ｂ  前壁部
２６    撃針（ファイアリングピン）
２６ａ  前側軸部
２６ｂ  後側軸部
２６ｃ  フランジ部
３０    用心金（トリガーガード）
４０    銃把（グリップ）
５０    銃床（ストック）
１００    弾（カートリッジ）
１０１    薬莢（カートリッジケース）
１０２    火薬（パウダー）
１０３    弾丸（ブリット）
１０４    雷管（プライマー）
１０４ａ  カップ
１０４ｂ  起爆薬
１０４ｃ  発火金（アンビル）
α１  当接部
α２  当接部
β１  当接部
β２  当接部
γ１  当接部
γ２  当接部
【図１】
2018096651.tif 000003
【図２】
2018096651.tif 000004
【図３】
2018096651.tif 000005
【図４】
2018096651.tif 000006
【図５】
2018096651.tif 000007
【図６】
2018096651.tif 000008
【図７】
2018096651.tif 000009
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
引金を引くと、撃鉄が逆鉤から外れて遊底内を前進し、薬室内に収められた弾の雷管を撃針が後方から打撃することにより、薬莢内の火薬を爆発させて弾丸を前方に発射させる構造を有するライフルであって、
撃針自体又は撃針に対して一体的に設けられた撃針一体化部材に、当接部α１が設けられ、
撃針とは別体からなる撃針周辺部材に、当接部α１に当接するための当接部α２が設けられ、
引金が引かれる前の状態から、撃針が、その前端が雷管の後面に対して当接する位置であって当接部α１と当接部α２とが当接する打撃開始位置に位置しており、
引金が引かれて、前方へ移動した撃針が、雷管を打撃した後に後方へ移動しているときに、当接部α１と当接部α２とが再び当接し、雷管を打撃した直後の撃針が打撃開始位置よりも後方に移動しないようにしたことにより、
雷管突破の発生を抑止するようにしたことを特徴とするライフル。
【請求項２】
撃針が撃鉄とは別体とされて、撃鉄の前端部が撃針の後端部を打撃すると、撃針が遊底内を前方移動するようにするとともに、
当接部α１が、撃針に設けられ、
当接部α２が、遊底における撃針を収容する部分である撃針収容部に設けられた
請求項１記載のライフル。
【請求項３】
撃針が撃鉄に対して一体的に設けられて、撃針と撃鉄とが一体となって遊底内を前方移動するようにし、
逆鉤が、
その前端側で撃鉄を掛止した状態に保つ撃鉄掛止位置と、
その後端側が上方に変位して、その前端側が下方に変位し、その前端側で撃鉄を掛止できなくなる撃鉄掛止解除位置と、
の間で揺動するようにする
とともに、
当接部α１が、撃鉄に設けられ、
当接部α２が、逆鉤の後端側に設けられた
請求項１記載のライフル。